(57)【要約】【課題】足の踏ん張る力を高めることが可能な靴下を提供する。【解決手段】チタン粉末を混合した接着剤２を、足Ｆの土踏まずと接触する部分に付着させた構成を靴下に採用する。【選択図】図４
2009097122.tif 000002
【特許請求の範囲】
【請求項１】
チタン粉末を混合した接着剤（２）を、足（Ｆ）の土踏まずと接触する部分に付着させた靴下。
【請求項２】
前記接着剤（２）をドット状に付着させた請求項１に記載の靴下。
【請求項３】
靴（Ｓ）の中敷きと接触する部分のうちの足指の部分に滑り止め部材（３）を付着させた請求項１または２に記載の靴下。
【請求項４】
丈をくるぶしの長さとし、口ゴム（４）のかかと側部分から上方に延びる帯片（５）を設けた請求項１から３のいずれかに記載の靴下。
【発明の詳細な説明】
【技術分野】
【０００１】
この発明は、ゴルフをするときに好適な靴下に関する。
【背景技術】
【０００２】
ゴルフスイングにおいて、足元が安定していないとスイングの軸がぶれてしまい、正確なインパクトが難しくなる。そのため、スイング時に足をしっかりと踏ん張ることは重要である。
【０００３】
しかし、足元が動くことによってショットが乱れることは多く、特に、下半身の力の弱い女性ゴルファーやシニアゴルファーはスイング時に足元が動きやすい。この足元の動きを抑えることができれば、スイングの軸が安定し、正確なショットが可能となる。
【０００４】
一方、スイング時に足元が動くのを防止するため、靴の中敷きと接触する部分に滑り止め部材を付着させた靴下が提案されているが（特許文献１）、この靴下を使用しても、足の踏ん張る力が足りなければ、足元を安定させることはできない。そこで、足の踏ん張る力を高めることができれば、スイング時の足元を十分に安定させることが可能となる。
【特許文献１】実用新案登録第３０７８６１４号公報
【発明の開示】
【発明が解決しようとする課題】
【０００５】
この発明が解決しようとする課題は、足の踏ん張る力を高めることが可能な靴下を提供することである。
【課題を解決するための手段】
【０００６】
上記の課題を解決するため、この発明の発明者は、チタン粉末を混合した接着剤を足の土踏まずに接触させると、チタンの血行促進作用によって足の踏ん張る力が高まることを見出し、チタン粉末を混合した接着剤を、足の土踏まずと接触する部分に付着させた構成を靴下に採用したのである。
【０００７】
この靴下は、次の構成を加えることができる。
１）前記接着剤をドット状に付着させる。
２）靴の中敷きと接触する部分のうちの足指の部分に滑り止め部材を付着させる。
３）丈をくるぶしの長さとし、口ゴムのかかと側部分から上方に延びる帯片を設ける。
【発明の効果】
【０００８】
この発明の靴下を装着すると、接着剤中のチタン粉末が足の土踏まずの血行を促進するので、足の踏ん張る力が高まり、ゴルフスイング時に足元を安定させることが可能となる。
【０００９】
また、チタン粉末は、銀粉末や銅粉末と比較して、電気導電率が極めて低い。そのため、この靴下は、チタン粉末に換えて銀粉末や銅粉末を用いたものと比較して、落雷の危険性が低く、ゴルフに好適である。
【００１０】
さらに、前記接着剤をドット状に付着させると、その接着剤の盛り上がりが、足の土踏まずの部分に集中した神経とツボを刺激するので、足の踏ん張る力をより効果的に高めることができる。
【００１１】
さらに、靴の中敷きと接触する部分のうちの足指の部分に滑り止め部材を付着させると、スイング時に、足のつま先に意識が集中して自然と足を踏ん張ることができ、足元が安定する。
【００１２】
また、丈をくるぶしの長さとし、口ゴムのかかと側部分から上方に延びる帯片を設けると、口ゴムがずり下がって靴の中に隠れたときに、帯片を持って口ゴムを引き上げることができる。そのため、口ゴムを引き上げるために靴を脱ぐ必要がなく、便利である。
【発明を実施するための最良の形態】
【００１３】
図１〜図３に、この発明の実施形態の靴下１を示す。この靴下１はニット生地からなり、足の土踏まずと接触する部分に、チタン粉末を混合した接着剤２がドット状に付着している。
【００１４】
接着剤２としては、例えば、樹脂系接着剤（例えば、ホットメルト接着剤やエポキシ樹脂接着剤）やゴム系接着剤（例えば、シリコン系接着剤やウレタン系接着剤）を用いることができる。また、接着剤２に混合するチタン粉末としては、純チタンの粉末を用いてもよく、酸化チタンや炭化チタン等のチタン化合物の粉末を用いてもよい。接着剤２中に占めるチタン粉末の比率は、高いほど効果的であるが、少なくとも３０重量％あればよい。
【００１５】
また、靴の中敷きと接触する部分のうちの足指の部分にも、ドット状に接着剤３が付着しており、その接着剤３によって足指の部分が滑り止めされている。
【００１６】
図４に示すように、靴下１の丈はくるぶしの長さとなっており、靴Ｓを履いたときにほぼ素足に見えるようになっている。また、口ゴム４のかかと側部分には、上方に延びる帯片５が縫い付けられている。
【００１７】
この靴下１は、図４に示すように足Ｆに装着した状態でゴルフをすると、接着剤２中のチタン粉末が足Ｆの土踏まずの血行を促進するので、足Ｆの踏ん張る力が高まり、スイング時の足元を安定させることができる。そのため、スイングの軸が安定し、正確なショットが可能となる。
【００１８】
また、チタン粉末は、銀粉末や銅粉末と比較して、電気導電率が極めて低い。そのため、この靴下１は、チタン粉末に換えて銀粉末や銅粉末を用いたものと比較して、落雷の危険性が低く、ゴルフに好適である。
【００１９】
また、この靴下１は、接着剤２がドット状に付着しているので、その接着剤２の盛り上がりが、足Ｆの土踏まずの神経とツボを刺激し、足Ｆの踏ん張る力をより効果的に高める。
【００２０】
また、滑り止め用の接着剤３が、靴の中敷きと接触する部分のうちの足指の部分に付着しているので、スイング時に、足Ｆのつま先に意識が集中して自然と足Ｆを踏ん張ることができ、足元が安定する。
【００２１】
また、この靴下１は、口ゴム４のかかと側部分から上方に延びる帯片５を有するので、図４の鎖線に示すように、口ゴム４がずり下がって靴Ｓの中に隠れたときに、帯片５を持って口ゴム４を引き上げることができる。そのため、口ゴム４を引き上げるために靴Ｓを脱ぐ必要がなく、便利である。
【００２２】
上記実施形態に示すように、接着剤２をドット状に付着させると、土踏まずの神経とツボが刺激されるので好ましいが、接着剤２はヘラ等で平らに付着させてもよく、スプレーで噴霧して付着させてもよい。このようにしても、接着剤２中のチタン粉末で土踏まずの血行を促進することができる。
【００２３】
チタン粉末を混合した接着剤２は、靴下１の裏面のうち、足裏と接触する部分全体に付着させてもよいが、足裏の血管は、土踏まずの部分に集中しているので、上記実施形態に示すように、靴下１の裏面のうち、少なくとも土踏まずと接触する部分に付着させればよい。
【図面の簡単な説明】
【００２４】
【図１】この発明の実施形態の靴下の一部を破断した状態を示す斜視図
【図２】図１に示す靴下の平面図
【図３】図１に示す靴下の正面図
【図４】図１に示す靴下を足に装着した状態を示す図
【符号の説明】
【００２５】
１      靴下
２      接着剤
３      接着剤
４      口ゴム
５      帯片
Ｆ      足
Ｓ      靴
【図１】
2009097122.tif 000003
【図２】
2009097122.tif 000004
【図３】
2009097122.tif 000005
【図４】
2009097122.tif 000006